(57)【要約】【課題】湿疹、あせも、かぶれ等の発生を効果的に防止し得る吸収性物品を提供すること。【解決手段】吸収体４の端縁から延出するエンドフラップＥ２を有し、このエンドフラップＥ２は、その肌当接面に、親水性かつ通気性であって、ＪＩＳ  Ｐ８１４１に準じて測定されたクレム吸水高さが２５ｍｍ以上である吸汗シート１１を有する。吸汗シート１１の肌当接面と反対の面側に存する別のシートのすべてが、前記エンドフラップの該吸汗シートと重なる部分においてすべて透湿性かつ撥水性の部位を有している。【選択図】    図５
2004358099.tif 000002
【特許請求の範囲】
【請求項１】
左右側部及び前後端部を有し、吸収体の該前後端部側における端縁から延出するエンドフラップを有する吸収性物品であって、
一方の前記エンドフラップは、その肌当接面に、親水性かつ通気性であって、ＪＩＳ  Ｐ８１４１に準じて測定されたクレム吸水高さが２５ｍｍ以上である吸汗シートを有し、
前記吸汗シートの肌当接面と反対の面側に存する別のシートのすべてが、前記エンドフラップの該吸汗シートと重なる部分においてすべて透湿性かつ撥水性の部位を有する吸収性物品。
【請求項２】
前記吸収体上には液透過性の表面シートが存在し、少なくとも一の前記別のシートが前記吸収体上の表面シート上にまで達している請求項１記載の吸収性物品。
【請求項３】
前記エンドフラップと前記吸収体の端縁との境界部においては、前記別のシートが幅方向にわたって接合されている請求項１又は２記載の吸収体物品。
【請求項４】
前記吸汗シートは、親水性繊維を５０重量％以上含んでおり、その坪量が１５〜５０ｇ／ｍ２である請求項１〜３の何れかに記載の吸収性物品。
【請求項５】
前記エンドフラップを構成する繊維材料の全量に対する親水性繊維の割合が５〜５０重量％である請求項１〜４の何れかに記載の吸収性物品。
【請求項６】
前記吸汗シートの生理食塩水の飽和吸収量が１００〜４００ｇ／ｍ２である請求項１〜５の何れかに記載の吸収性物品。
【発明の詳細な説明】
【０００１】
【発明の属する技術分野】
本発明は、湿疹、あせも、かぶれ等の発生を効果的に防止し得る吸収性物品に関する。
【０００２】
【従来の技術及び発明が解決しようとする課題】
使い捨ておむつを着用中の着用者の腰回りにはあせもが発生しやすいことが知られている。特に、背側の腰回りにあせもが発生しやすい。あせもが発生する原因には様々な説があるが、現時点では明確なメカニズムはわかっていない。しかし、汗があせもの一因になっていると考えられる。
【０００３】
あせも等の発生を防止することを目的とした使い捨ておむつが提案されている。例えば蒸れを防止する目的で、吸収体の側縁から側外方にあるフラップを透液性のシートから構成した使い捨ておむつが提案されている（特許文献１参照）。
また、蒸れずに吸湿性があり、かぶれにくく、違和感が生じにくくすることを目的として、おむつの最外層の裏面シートを親水性と通気性とを有するシートから構成した使い捨ておむつが提案されている（特許文献２参照）。
【０００４】
更に図６に示すように、おむつのウエストフラップの内面に通気性の吸汗シート１１１を接合した使い捨ておむつが提案されている（特許文献３参照）。この使い捨ておむつは、湿疹、あせも、かぶれ等が発生し易いウエストフラップの内面に汗を吸収するシートを配することで、該シートによって着用者の腰回りから発生する汗を吸収させて、あせも等の発生を防止しようとするものである。このおむつによれば、着用者の腰回りから発生する汗は前記吸汗シートに吸収される。しかし、汗を吸収して湿潤した状態となっている前記吸汗シートは、着用者の肌に当接した状態となっているので、着用者の肌は湿潤状態にさらされることになる。従って、あせも等の発生を十分に防止することはできない。
【０００５】
【特許文献１】
特許第３００９４８２号公報
【特許文献２】
特許第２８９４７７０号公報
【特許文献３】
特開２０００−１８９４５４号公報
【０００６】
従って本発明は、湿疹、あせも、かぶれ等の発生を効果的に防止し得る吸収性物品を提供することを目的とする。
【０００７】
【課題を解決するための手段】
本発明は、左右側部及び前後端部を有し、吸収体の該前後端部側における端縁から延出するエンドフラップを有する吸収性物品であって、
一方の前記エンドフラップは、その肌当接面に、親水性かつ通気性であって、ＪＩＳ  Ｐ８１４１に準じて測定されたクレム吸水高さが２５ｍｍ以上である吸汗シートを有し、
前記吸汗シートの肌当接面と反対の面側に存する別のシートのすべてが、前記エンドフラップの該吸汗シートと重なる部分においてすべて透湿性かつ撥水性の部位を有する吸収性物品を提供することにより前記目的を達成したものである。
【０００８】
【発明の実施の形態】
以下本発明を、その好ましい実施形態に基づき図面を参照しながら説明する。図１には、本発明の吸収性物品の一実施形態としてのパンツ型使い捨ておむつの斜視図が示されている。図２には、図１に示すおむつをサイドシール部で切り離して展開し、トップシート側から見た平面図が示されている。図３には、図２に示す平面図の一部破断分解斜視図が示されている。図４及び図５にはそれぞれ図３及び図２におけるＩＶ−ＩＶ線及びＶ−Ｖ線に沿う断面図がそれぞれ示されている。
【０００９】
図１に示すようにおむつ１はパンツ型である。図２〜図４に示すように、おむつ１は液透過性の表面シート２、液不透過性の裏面シート３及び両シート２，３間に介在された液保持性の吸収体４を有する吸収性本体１０と、該吸収性本体１０の外側（非肌当接面側）に位置して該吸収性本体１０を接合固定している外装体５とを具備し、着用時に着用者の腹側に配される腹側部Ａの両側縁と背側に配される背側部Ｂの両側縁とが、ヒートシール、高周波シール、超音波シール等の公知の接合手段により互いに接合されてサイドシール部が形成されている。これにより、図１に示すようにおむつ１にはウエスト開口部７及び一対のレッグ開口部８，８が形成されている。なお、腹側部Ａと背側部Ｂとの間は股下部Ｃとなっている。また、本実施形態では明示していないが、吸収体４は吸収コアがその周囲を台紙で覆われている。
【００１０】
図２及び図３に示すように、吸収性本体１０は縦長矩形状をなし、その長手方向をおむつ１の長手方向に一致させて、おむつ１の腹側部Ａから背側部Ｂに亘るように、公知の接合手段により外装体５の幅方向中央部に接合されている。吸収性本体１０における吸収体４は、長手方向中央部が括れた砂時計状をなし、表面シート２及び裏面シート３間に挟持固定されている。
【００１１】
図２〜図４に示すように吸収性本体１０においては、その左右両側部に、長手方向へ延びる一対の第１立体ガード６Ａ，６Ａ及び第２立体ガード６Ｂ，６Ｂが形成されている。図４に示すように第１立体ガード６Ａは、吸収性本体１０の幅方向内方側に自由端６１Ａを有し且つ外方側に固定端（立ち上がりの基端）６２を有している。自由端６１Ａ近傍には、該自由端６１Ａに沿って、弾性部材６３Ａが伸縮自在に配設されている。一方、第２立体ガード６Ｂは、外装体５との固定端６４を有しており、該固定端６４よりも幅方向外方側に自由端６１Ｂを有している。自由端６１Ｂ近傍には、該自由端６１Ｂに沿って、弾性部材６３Ｂが伸縮自在に配設されている。
【００１２】
外装体５は２枚のシート材から構成されている。具体的には図３に示すように、外装体５は外層シート５１と内層シート５２との積層体から構成されている。図３においては、理解の助けとするため、外層シート５１にドット模様を付して内層シート５２と区別してある。外層シート５１はおむつ１の最外面をなしている。内層シート５２は、外層シート５１に隣接しておむつ１の内面側に配されている。外層シート５１及び内層シート５２は何れも撥水性の不織布から構成されている。外層シート５１と内層シート５２とは、それらの側縁部の輪郭は同形状となっているが、長手方向に関する形状は異なっている。具体的には図３に示すように、外層シート５１は、内層シート５２の前後端縁から前後方向に延出した延出部５１Ａ，５１Ｂを有している。延出部５１Ａ、５１Ｂはそれぞれ、外装体５の内層シート上に吸収性本体１０が配置固定された後、該吸収性本体１０の前後端を覆うように該吸収性本体１０側に折り返される（図２及び図５参照）。折り返された延出部５１Ａ，５１Ｂの端縁は、吸収体４の前後端縁を越えて延出し吸収体上にまで達している。これによっておむつ１には、吸収体４の前後端縁からそれぞれ前後方向に延出するエンドフラップＥ１，Ｅ２が形成される（図１、図２及び図５参照）。図５から明らかなように、エンドフラップＥ１，Ｅ２は、少なくとも内層シート５２と、折り返されて二重になっている外層シート５１とから構成されている。そして、液透過性のトップシート２はエンドフラップＥ１，Ｅ２には存在していない。
【００１３】
図１〜図３に示すように、エンドフラップＥ１，Ｅ２にはおむつ１の幅方向に延びる複数の弾性部材７１が所定間隔をおいて伸長状態で配されている。これによってウエスト開口部７にはその全周に亘って実質的に連続した環状のウエストギャザーが形成されている。また各レッグ開口部８，８には、その開口縁部に沿って複数の弾性部材８１が伸長状態で配されている。これらの弾性部材とは別に、図１及び図２に示すように、ウエスト開口部７とレッグ開口部８，８との間に位置する胴周囲部Ｄには、おむつ１の幅方向に延びる複数の弾性部材９１が所定間隔をおいて配されている。弾性部材９１は、少なくとも吸収体４の両側縁よりも幅方向外方の部位に弾性伸縮性が発現されるように伸張状態で配設固定されており、且つ吸収体４が存在する部位の少なくとも幅方向中央部には弾性伸縮性が発現される状態では配設されていない。以上の各弾性部材７１，８１，９１は何れも外装体５を構成する外層シート５１と内層シート５２との間に挟持固定されている。
【００１４】
以上の各部材を構成する材料としては当該技術分野において通常用いられているものを特に制限なく用いることができる。例えばトップシート２としては、親水性且つ液透過性の不織布や、開孔フィルムを用いることができる。バックシート３としては液不透過性のフィルム等を用いることができる。このフィルムは透湿性を有していることが好ましい。吸収体４としてはフラッフパルプと高吸収性ポリマーの粒子との混合積繊物を用いることができる。各弾性部材としては天然又は合成のエラストマー材料を用いることができる。立体ガードを構成するシート並びに外層シート５１及び内層シート５２としては、先に述べた通り撥水性の不織布が用いられる。
【００１５】
而して本実施形態においては、図２、図３及び図５に示すように、背側部ＢのエンドフラップＥ２の肌当接面に吸汗シート１１が配されている。吸汗シート１１は、トップシート側へ折り返された外層シート５１の延出部５１Ｂ上に配されている。図５に示すように、吸汗シート１１はその前端縁１１ａが、エンドフラップＥ２の端縁Ｅａよりもやや手前（吸収体端縁寄り）の位置にある。また吸汗シート１１の後端縁１１ｂは、外層シート５１の延出部５１Ｂの端縁５１Ｂｂよりもやや手前（エンドフラップ端縁寄り）の位置にある。
【００１６】
更に図２に示すように、吸汗シート１１の左右両側縁は、背側部Ｂにおける外装体５の左右両側縁よりも内側寄りの位置にある。これによって、外装体５における腹側部Ａの両側縁と背側部Ｂの両側縁とをシールしてパンツの形態となす際に、内層シート５１どうしが対向するようになり、該シールを確実に行うことができる。
【００１７】
吸汗シート１１は親水性で且つ通気性を有するシート材からなり、ＪＩＳ  Ｐ８１４１に準じて測定されたクレム吸水高さが２５ｍｍ以上のものである。そしてエンドフラップＥ２においては、吸汗シート１１の肌当接面と反対側の面側において、エンドフラップＥ２の厚み方向に関して該吸汗シート１１と重なる部分に存する別のシートがすべて透湿性かつ撥水性のシート（以下、撥水性シートという）から構成されている。本実施形態においては、吸汗シート１１の肌当接面と反対側の面側に存するシートである外層シート５１及びその延出部５１Ｂ並びに内層シート５２が、すべて撥水性シートから構成されている。換言すれば、エンドフラップＥ２においては、その肌当接面の全域が実質的に吸汗シート１１から構成され、吸汗シート１１よりもおむつ外面側に位置するシートすべてが透湿性かつ撥水性のものとなっている。なお、本発明では前記別のシートの一部が、吸汗シート１１と重なる部分の厚み方向において透湿性かつ撥水性であれば、その部分から汗が外部へ放出されるが、本実施形態では最も好ましい例として吸汗シートと重なる部分の全面で別のシート（外層シート５１及びその延出部５１Ｂ並びに内層シート５２）が透湿性かつ撥水性であるものを示した。別のシートにおける吸汗シート１１と重なる部分の５０％以上の面積で透湿性かつ撥水性であることが好ましく、８０％以上がより好ましい。
【００１８】
エンドフラップＥ２においては、最外面の外層シート５１とそれに対向する内層シート５２とが、カーテンスプレーされたホットメルト粘着剤によって互いに部分的又は全面で接合固定されている。また、内層シート５２とそれに対向する外層シート５１の延出部５１Ｂも同様の手段によって互いに接合固定されている。更に延出部５１Ｂと吸汗シート１１についても同様である。このときエンドフラップＥ２は、該エンドフラップＥ２と吸収体４の端縁との境界部を含むエンドフラップＥ２のおむつ幅方向において、エンドフラップＥ２を構成するシートどうしが連続的に接合されている。これによってエンドフラップＥ２は、吸収体４に吸収された液がおむつ前後端方向へ流れ出ようとすることに対する液漏れ防止シール部として作用する。該接合はおむつ幅方向全幅にわたり設けられることが好ましい。
【００１９】
本実施形態のおむつ１が以上の構成を備えていることで、おむつ１には以下の有利な効果（１）〜（３）が奏される。
（１）おむつ１の着用中に着用者の背側の腰回りから発散された汗は、エンドフラップＥ２の肌当接面に配された親水性を有する吸汗シート１１に吸収される。あせもの発生部位として腰回りが多いことは冒頭に述べた通りである。この場合、吸汗シート１１は親水性かつ通気性を有し、クレム吸水高さが２５ｍｍ以上であり、しかもエンドフラップＥ２における吸汗シート１１よりもおむつ外面側に位置するシートはすべて透湿性かつ撥水性のものなので、吸汗シート１１に吸収された汗はエンドフラップＥ中に保持されにくく、むしろ吸汗シート１１から蒸散する。その結果、着用者の腰回りは低湿度のドライな状態が保たれ、あせも等が発生しづらくなる。先に述べた特許文献３に記載のおむつでは吸汗シートに隣接して親水性のトップシートが配されており、通常トップシートは排泄された尿が着用者肌へ戻ることを防止するために厚く、クレム吸水性が低いことから（通常、概ね５ｃｍ未満）、吸汗シートに吸収された汗が吸汗シート及びトップシートに保持されやすくなってしまい、これが原因で汗の蒸散が起こりにくくなる。
【００２０】
（２）吸収体４に吸収された液は着用者の体圧によって吸収体４からしみ出しエンドフラップＥ２へ移行しようとする。しかし本実施形態においては、エンドフラップＥ２は少なくとも吸収体４の端縁との境界部において、何れも撥水性である外層シート５１及びその延出部５１Ｂ並びに内層シート５２がおむつ幅方向全長にわたり接合されて、おむつ前後端方向へ流れ出ようとする尿等に対する液漏れ防止シール部を形成しているので、エンドフラップＥ２への液の移行が阻止される。つまり、エンドフラップＥ２が湿潤状態となることが防止される。その結果、前記（１）で述べた吸汗シート１１からの汗の蒸散が阻害されにくくなる。先に述べた特許文献３に記載のおむつでは吸収体に吸収された液が直接エンドフラップへしみ出しエンドフラップを湿潤させてしまうので、吸汗シートに吸収された汗の蒸散が阻害されるばかりでなく、逆に着用者の腰回りを濡らし、あせも等の発生を助長してしまう。また、おむつの本来の目的であるモレ防止効果も不充分である。
【００２１】
（３）エンドフラップＥ２を構成するシート材の一つである撥水性の延出部５１Ｂが吸収体４の端縁を越えて延出し吸収体上にまで達している。その延出部５１Ｂ上で且つ延出部５１Ｂの周縁よりも内側に、吸汗シート１１が位置しているので、着用者の体圧によって吸収体４からしみ出した液がトップシート２を伝って吸汗シート１１に到達したり、エンドフラップＥ２へ移行することが阻止される。つまり前記（２）と同様にエンドフラップＥ２が湿潤状態となることが防止される。その結果、前記（１）で述べた吸汗シート１１からの汗の蒸散が阻害されにくくなる。先に述べた特許文献３に記載のおむつでは吸収体に吸収された液がトップシートを伝ってエンドフラップへしみ出しエンドフラップを湿潤させてしまうので、吸汗シートに吸収された汗の蒸散が阻害されるばかりでなく、逆に着用者の腰回りを濡らし、あせも等の発生を助長してしまう。
【００２２】
前述の効果を確実に奏するためには、撥水性シートはその撥水性の程度が耐水圧で表して好ましくは１ｇ／ｃｍ２以上、更に好ましくは３ｇ／ｃｍ２以上であり、吸汗シート１１は親水性の程度が耐水圧で表して０ｇ／ｃｍ２である。耐水圧は以下のように測定する。
【００２３】
＜耐水圧の測定方法＞
垂直に連ねた直径３５ｍｍの２つの円筒管の間にサンプルのシートを挟み込み、上側の円筒管に８ｇ／分の速度で生理食塩水を流し込む。生理食塩水がサンプルのシートを突き破り、下側の円筒管に流れ始める時間を測定する。生理食塩水の流速と、サンプルのシートを突き破るまでの時間とから液量を算出する。算出された液量を円筒菅の断面積で除した値を耐水圧とする。
【００２４】
吸汗シート１１は親水性を有するが、液保持性が高すぎるとシート自身に液を取り込んで、汗が蒸散しなくなってしまうおそれがある。そこで吸汗シート１１に吸収された汗の蒸散を一層促進させる観点から、吸汗シート１１は適度に液保持性のある繊維シートからなることが好ましい。吸汗シート１１は例えば親水性繊維を５０重量％以上、特に６０重量％以上含むことが好ましい。吸汗シート１１は親水性繊維１００％から構成されていてもよく、或いは親水性繊維と疎水性繊維と含んで構成されていてもよい。後者の場合には、吸汗シート１１は疎水性繊維を５０重量％未満、特に４０重量％未満の量で含むことができる。
【００２５】
親水性繊維としては例えばレーヨン、コットン、パルプなどを用いることができる。一方疎水性繊維としては例えば各種熱可塑性樹脂からなる繊維を用いることができる。本発明で使用される親水性繊維（不織布）の中には、疎水性の熱可塑性樹脂からなる繊維を各種親水処理した繊維や、疎水性繊維からなる不織布を各種親水化処理した不織布も含まれる。これらの繊維を含む繊維シートとしては、例えばスパンレース不織布、エアスルー不織布、紙などが挙げられる。具体的にはレーヨンとポリオレフィン系繊維とからなるスパンレース不織布が挙げられる。これらの繊維シートの坪量は  １５〜５０ｇ／ｍ２、特に１８〜３５ｇ／ｍ２であることが、吸汗シート１１に吸収された汗の蒸散を一層促進させる点から好ましい。
【００２６】
同様の観点から、エンドフラップＥ２を構成する繊維材料の全量に対する親水性繊維の割合は５〜５０重量％、特に１０〜３５重量％であることが好ましい。この親水性繊維には、疎水性の熱可塑性繊維に親水性油剤が塗布された後、不織布化されたものも含む。例えば、おむつ用の液透過性トップシートとして一般的に使用されるポリオレフィン系のエアスルー不織布がその代表例である。
【００２７】
本実施形態の吸汗シート１１は一層構造のものであるが、２層以上の構造であっても構わない。この場合には、全層構造体としてクレム吸水高さを測定して２５ｍｍ以上であることが必要である。
【００２８】
吸収された汗の蒸散を更に一層促進させる点から、吸汗シート１１は拡散性の高いものであることも好ましい。この観点から、吸汗シート１１のクレム吸水高さは３０ｍｍ以上、特に４０ｍｍ以上であることが好ましい。
【００２９】
また吸収された汗を保持せずに素早く蒸散させる点から、吸汗シート１１は生理食塩水の飽和吸収量が１００〜４００ｇ／ｍ２、特に１５０〜３５０ｇ／ｍ２であることが好ましい。飽和吸収量は次の方法で測定される。先ず、吸汗シート１１のサンプルの重量を正確に量り取り、生理食塩水〔０．９％ＮａＣｌ、大塚製薬（株）製〕２０００ｍｌの入ったビーカー中に入れ１０分間放置する。その後、サンプルを取り出し、サンプルを適当な太さを有する竿に静かに置く。１０分後のサンプルの重量を測定し、以下に示す式から飽和吸収量を求める。１種類のサンプルにつき３つのサンプルで測定を行い、その平均値を飽和吸収量とする。これらの操作は温度２０℃、湿度６５％の恒温環境下において行う。
飽和吸収量（ｇ／ｍ２）＝｛飽和吸収後のサンプル重量−初期のサンプルの重量｝／初期のサンプルの面積（平面視したときの見掛け面積）
【００３０】
本発明は前記実施形態に制限されない。例えば前記実施形態においては、エンドフラップを構成する吸汗シート以外のシート材はすべて不織布であったが、該シート材としては不織布に限られず透湿性で且つ撥水性であればどのようなシート材を用いてもよい。例えば透湿性で且つ撥水性の不織布に代えて透湿性で且つ撥水性のフィルムを用いることができる。また両者を併用することもできる。
【００３１】
また前記実施形態においては、吸汗シートは背側のエンドフラップＥ２にのみ配されていたが、これに代えて又はこれと共に腹側のエンドフラップＥ１に吸汗シートを配してもよい。
【００３２】
また吸汗シート１１の前端縁１１ａとエンドフラップＥ２の端縁Ｅａとは、ほぼ同位置にあってもよい。また、吸汗シート１１の後端縁１１ｂは、エンドフラップＥ２と吸収体４の端縁との境界部に位置していてもよい。要するに、エンドフラップＥ２の肌当接面の実質的に全域が吸汗シート１１から構成されていればよい。
【００３３】
更に前記実施形態においては、本発明の吸収性物品の一実施形態としてパンツ型の使い捨ておむつを例にとり説明したが、本発明はこれ以外の吸収性物品、例えば展開型の使い捨ておむつやショーツ型の生理用ナプキン等にも同様に適用することができる。
【００３４】
【実施例】
以下、実施例により本発明を更に詳細に説明する。しかしながら本発明の範囲はかかる実施例に制限されない。
【００３５】
〔実施例１〕
吸汗シート、トップシート、外層シーと及び内層シートとして以下の表１に示すものを用い、またバックシートとしてポリプロピレンフィルムからなる透湿性シートを用い、図１〜図５に示す構成のパンツ型使い捨ておむつを作製した。それ以外の部材には公知の材料を用いた。また、吸収体の端縁とエンドフラップの境界部で、おむつ幅方向全幅に渡って外層シート、内層シート及び外層シートの折り返し部を接合した。
【００３６】
〔比較例１〕
背側のエンドフラップＥ２の構成を、図６に示す形態（特開２０００−１８９４５４号公報の図４に示す形態に同じ）とする以外は実施例１と同様にしてパンツ型使い捨ておむつを作製した。
【００３７】
〔比較例２〕
吸汗シートとして表１に示すものを用いる以外は比較例１と同様にしてパンツ型使い捨ておむつを作製した。
【００３４‘】
〔比較例３〕
実施例１から吸汗シートを取り除いたパンツ型使い捨ておむつを作製した。
【００３８】
〔性能評価〕
実施例及び比較例で得られたおむつおよびシート材料について、以下の方法で▲１▼液蒸散性、▲２▼着装内の水分率変化、▲３▼尿モレ吸収性能を測定した。結果を表１に示す。
【００３９】
〔▲１▼液蒸散性〕
７ｃｍ×７ｃｍのアクリル板に０．２ｇの蒸留水をスプレー塗布する。各実施例、比較例のおむつから吸汗シートを含むように１０ｃｍ×１０ｃｍの大きさにサンプリングした評価サンプルシートをその上に載せる。温度２０℃、湿度６５％ＲＨの恒温環境下にて蒸留水が蒸散する量を重量変化で測定する。１０分後の蒸留水の蒸散量を初期の蒸留水量（０．２ｇ）で除し、その割合を液蒸散性の値とする。
【００４０】
〔▲２▼着装内の水分率変化〕
成人モニター５名の前腕部３ｃｍ×３ｃｍの面積に０．２ｇの蒸留水をスプレー塗布する。各実施例、比較例のおむつから吸汗シートを含むように５ｃｍ×５ｃｍの大きさにサンプリングした評価サンプルシートをその上に載せる。温度２０℃、湿度６５％ＲＨの恒温環境下にて３０分間放置する。その後シートを取り除き、前腕部の水分を軽く拭いた後、当該部位の肌水分率をモイスチャーチェッカー（スカラ社製）を用いて測定する。対照として、同じ部位の処理前の肌水分率を測定する。前記処理後の肌水分率と対照の肌水分率との差を求め、この値を水分率変化とする。
〔▲３▼尿モレ吸収性能〕
実施例、比較例のおむつをベビーモデルに装着させ、４０ｇ／回ずつ人工尿を注入して背側から漏れるまでの注入量を測定する。この注入量を尿モレ吸収性能とする。
【００４１】
【表１】
2004358099.tif 000003
【００４２】
表１に示す結果から明らかなように、実施例１のおむつ（本発明品）によれば着装内の水分率変化は着装外と同程度となっており、着用者の肌がドライな状態に保たれていることが判る。これに対して比較例１及び２のおむつにおいては、水分率変化の値が高く、着用者の肌が湿潤した状態になっていることが判る。特に比較例２のおむつは水分率変化の値が極めて高いことが判る。比較例２より親水性繊維量を増やしても比較例１では水分変化率が向上していないのに対し、実施例１では親水性繊維量が比較例１、２よりも少ないにも関わらず水分変化率が極めて小さいことは特筆すべきである。また、実施例１のおむつでは吸汗シートを配しない比較例３のおむつと同様の吸収性能を示したのに対し、従来の吸汗シートを配したおむつである比較例１、２では吸収性能が劣っていた。
【００４３】
【発明の効果】
本発明の吸収性物品によれば、湿疹、あせも、かぶれ等の発生を効果的に防止できる。特に、あせも等が発生し易い着用者の腰回りおけるあせも等の発生を防止できる。
【図面の簡単な説明】
【図１】本発明の吸収性物品の一実施形態としてのパンツ型使い捨ておむつを示す斜視図である。
【図２】図１に示すおむつをサイドシール部で切り離して展開し、トップシート側から見た平面図である。
【図３】図２に示すおむつの一部破断分解斜視図である。
【図４】図３におけるＩＶ−ＩＶ線に沿う断面図である。
【図５】図２におけるＶ−Ｖ線に沿う断面図である。
【図６】従来のおむつにおけるエンドフラップを示す断面図である。
【符号の説明】
１  パンツ型使い捨ておむつ（吸収性物品）
２  トップシート
３  バックシート
４  吸収体
５  外装体
５１  外層シート
５２  内層シート
１０  吸収性本体
１１  吸汗シート
Ｅ１，Ｅ２  エンドフラップ
【図１】
2004358099.tif 000004
【図２】
2004358099.tif 000005
【図３】
2004358099.tif 000006
【図４】
2004358099.tif 000007
【図５】
2004358099.tif 000008
【図６】
2004358099.tif 000009